(57)【要約】【課題】            ロータフレームと偏心錘を溶接固着した場合でも腐食を抑える構造を持つ扁平形振動モータの提供。【解決手段】        ロータ部２０は、軸受２１と、軸受２１を内嵌したバーリング部２２ｃを有するロータフレーム２２と、ロータフレーム２２の平面部２２ａの一方の面に固定されたロータマグネット２３と、平面部２２ａの他方の面に固定された偏心錘２４からなり、ロータフレーム２２は、その平面部２２ａのロータマグネット２３を固定する一方の面に、偏心錘２４をロータフレーム２２に溶接するための凹部２７を有しており、凹部２７の中でロータフレーム２２と偏心錘２４の溶接を行う。溶接後は、凹部２７の開口部２７ｂを塞ぐように、ロータマグネット２３をロータフレーム２２に固着する。【選択図】          図１
2012005293.tif 000002
【特許請求の範囲】
【請求項１】
筒状部の開口部分がステータ部で塞がれて支軸の一端を支持するカバーケースと、前記支軸が貫通する軸受を介して回転自在に支持されており、軸方向界磁型のロータマグネット及び偏心錘を持つロータフレームとを備える扁平形振動モータであって、
前記ロータフレームは、前記偏心錘が設置された面とは反対側の面において前記偏心錘を前記ロータフレームに溶接するための少なくとも１つの凹部を有し、前記凹部は前記偏心錘の溶接固定後に前記ロータマグネットによりその開口部分が塞がれることを特徴とする扁平形振動モータ。
【請求項２】
請求項１に記載の扁平形振動モータにおいて、前記偏心錘と前記凹部が軸方向に対向していることを特徴とする扁平形振動モータ。
【請求項３】
請求項１又は２に記載の扁平形振動モータにおいて、前記偏心錘と前記凹部が径方向に対向していることを特徴とする扁平形振動モータ。
【請求項４】
請求項１乃至３のいずれかに記載の扁平形振動モータにおいて、前記偏心錘は、前記支軸方向に延在して前記軸受の端面を当り止めする軸受押えを有することを特徴とする扁平形振動モータ。
【発明の詳細な説明】
【技術分野】
【０００１】
本発明は、携帯電話機等に内蔵される扁平形振動モータに関し、特に、そのロータ構造に関する。
【背景技術】
【０００２】
従来、扁平形振動モータは、支軸の一端がバーリング部に圧入された円盤状のベース板と、開口部がベース板で塞がれて支軸の他端が軸装着孔に嵌入した有底円筒状のカバーケースと、支軸が貫通する滑り軸受を介して回転自在に支持されて軸方向界磁型のロータマグネット及び偏心錘を持つロータフレームと、ベース板上に重ねられて複数個の空芯コイルや電流制御用ＩＣなどの電子部品を搭載する印刷配線板とを備える。ロータフレームは、滑り軸受に嵌着したバーリング部と、円環状のロータマグネット及びこの外周側で偏心錘を持つ円板部とを有する。
【先行技術文献】
【特許文献】
【０００３】
特開２００８−１８２８３７
【発明の概要】
【発明が解決しようとする課題】
【０００４】
上記の扁平形振動モータにおいて、高比重合金の偏心錘はロータフレームの円板部に何箇所かの溶接で一体化されているため、その溶接の箇所が外気に晒され、所謂ガルバニック腐食を生じ易い。また、ロータフレームのバーリング部が嵌着する滑り軸受は、その保持のため外周部にカシメ用環状突起などを持つ特殊形状の滑り軸受を必要としてコスト高を招く。
【０００５】
そこで、上記問題点に鑑み、本発明の第１の課題は、ロータフレームと偏心錘を溶接固着した場合でも腐食を抑える構造を持つ扁平形振動モータを提供することにある。また、本発明の第２の課題は、通常の円筒状の滑り軸受を用いることができる扁平形振動モータを提供することにある。
【課題を解決するための手段】
【０００６】
本発明は、筒状部の開口部分がステータ部で塞がれて支軸の一端を支持するカバーケースと、支軸が貫通する軸受を介して回転自在に支持されており、軸方向界磁型のロータマグネット及び偏心錘を持つロータフレームとを備える扁平形振動モータであって、ロータフレームは、偏心錘が設置された面とは反対側の面において偏心錘をロータフレームに溶接するための少なくとも１つの凹部を有し、凹部は偏心錘の溶接固定後にロータマグネットによりその開口部分が塞がれることを特徴とする。
【０００７】
このようなロータ構造においては、ロータフレームと偏心錘の溶接を凹部の中で行い、溶接後に凹部の開口部分をロータマグネットで塞ぐことで外気を遮断するため、溶接箇所が外気に晒されることが無くなり、腐食を抑えることが可能となる。
【０００８】
そして、偏心錘は、支軸方向に延在して軸受の端面を当り止めする軸受押えを有する構成を採用できる。
【０００９】
このような構成を採用した場合は、ロータフレームが軸方向に上下動しても、バーリング部に内嵌した滑り軸受を軸受押えで抜け止めしているため、滑り軸受として通常の円筒状の滑り軸受を用いることができ、低コスト化を実現できる。
【発明の効果】
【００１０】
本発明では、ロータフレームと偏心錘の溶接箇所が外気に晒されず、腐食を抑えることが可能な扁平形振動モータの提供が可能となる。
【図面の簡単な説明】
【００１１】
【図１】本発明の実施の形態に係る扁平形振動モータの縦断面図である。
【図２】（Ａ）は同扁平形振動モータにおいてロータ部を示す平面図、（Ｂ）は（Ａ）のａ−ａ線に沿った断面図、（Ｃ）は（Ｂ）のｂ部拡大図である。
【図３】（Ａ）は本発明の他の実施例に係る扁平形振動モータのロータ部を示す平面図、（Ｂ）は（Ａ）のｃ−ｃ線に沿った断面図、（Ｃ）は（Ｂ）のｄ部拡大図である。
【発明を実施するための形態】
【００１２】
次に、本発明の実施形態を添付図面に基いて説明する。
【実施例１】
【００１３】
図１は本発明の実施の形態に係る扁平形振動モータの縦断面図、図２（Ａ）は同扁平形振動モータにおいてロータ部を示す平面図、（Ｂ）は（Ａ）のａ−ａ線に沿った断面図、（Ｃ）は（Ｂ）のｂ部拡大図である。
【００１４】
本例の扁平形（コイン形）振動モータはブラシレスモータで、プレート１１とこのプレート１１に重ね合わされた回路基板１２とを有し、回路基板１２上には複数個の空芯コイル１３や図示しない電子部品が搭載されており、これらでステータ部１０を形成している。
【００１５】
また、支軸（固定軸）１の一端が嵌入固定されるバーリング部３０ｃを持つ有底扁平筒状のカバーケース３０と、支軸１が貫通する通常の円筒状の軸受２１を介して回転自在に支持されているロータ部２０とを備えており、カバーケース３０の筒状部３０ａの開口部３０ｂはステータ部１０で塞がれている。
【００１６】
ロータ部２０は、軸受２１と、軸受２１を内嵌したバーリング部２２ｃを有するロータフレーム２２と、ロータフレーム２２の平面部２２ａの一方の面に固定されたロータマグネット２３と、平面部２２ａの他方の面に固定された偏心錘２４とからなる。
【００１７】
ロータフレーム２２は、その平面部２２ａのロータマグネット２３を固定する一方の面に、偏心錘２４をロータフレーム２２に溶接するための凹部２７を有しており、凹部２７の中でロータフレーム２２と偏心錘２４の溶接を行う。溶接後は、凹部２７の開口部２７ｂを塞ぐように、ロータマグネット２３をロータフレーム２２に固着する。
【００１８】
なお、４０は、軸受２１の下端面を受けるように、支軸１に貫通され、回路基板１２上に搭載されたワッシャーである。
【００１９】
このようなロータ構造においては、ロータフレーム２２と偏心錘２４の溶接作業を行った後、溶接部分である凹部２７をロータマグネット２３で塞ぐことで外気を遮断するので、溶接箇所が外気に晒されることが無くなり、腐食を抑える。
【００２０】
なお、凹部２７は、複数箇所設けても良いし、複数の溶接箇所をまとめた溝状としても良い。
【００２１】
そして、偏心錘２４は支軸１の方向に延在して軸受２１の端面を当り止めする軸受押え２５を有する構成を採用できる。
【００２２】
このような軸受押え２５を採用した場合は、ロータフレーム２２が軸方向に上下動しても、バーリング部２２ｃに内嵌した軸受２１を軸受押え２５で抜け止めしているため、滑り軸受として通常の円筒状の軸受を用いることができ、低コスト化を実現できる。
【実施例２】
【００２３】
図３（Ａ）は本発明の他の実施例に係る扁平形振動モータのロータ部を示す平面図、（Ｂ）は（Ａ）のｃ−ｃ線に沿った断面図、（Ｃ）は（Ｂ）のｄ部拡大図であり、このロータ部以外の構造は、実施例１と同様である。
【００２４】
本実施例のロータ部２０’では、ロータフレーム２２’がその外周側において側面部２２ｂを有しており、偏心錘２４’が側面部２２ｂの外周側に固定される。
【００２５】
側面部２２ｂは、その内周側に偏心錘２４’をロータフレーム２２’に溶接するための凹部２７’を有しており、凹部２７’の中でロータフレーム２２’と偏心錘２４’の溶接を行う。溶接後は、凹部２７’の開口部２７ｂ’を塞ぐように、ロータマグネット２３をロータフレーム２２’に固着する。
【００２６】
本実施例のロータ構造においても、ロータフレーム２２’と偏心錘２４’の溶接作業を行った後、溶接部分である凹部２７’をロータマグネット２３で塞ぐことで外気を遮断するので、溶接箇所が外気に晒されることが無くなり、腐食を抑える。
【００２７】
なお、本実施例においても、凹部２７’は複数箇所設けても良いし、複数の溶接箇所をまとめた溝状としても良い。
【００２８】
そして本実施例でも、偏心錘２４’は支軸１の方向に延在して軸受２１の端面を当り止めする軸受押えを有する構成を採用できる。
【００２９】
また、実施例１と実施例２を合わせた構造を採用し、偏心錘をロータフレームの上面及び側面に固定される形状とし、ロータフレームの平面部及び側面部の２箇所に凹部を設けて溶接固定を行い、ロータマグネットでそれぞれの開口部を塞ぎ、溶接箇所の外気を遮断する構造を採用することもできる。
【００３０】
今回、各実施例では、固定軸型の扁平形振動モータについて説明してきたが、本発明は軸回転型の扁平形振動モータについても適用が可能である。もちろんその他の構造についても、これら各実施例の構造に囚われず、本発明の要旨を変更しない範囲での変更が可能である。
【符号の説明】
【００３１】
１…支軸
１０…ステータ部
１１…プレート
１２…回路基板
１３…空芯コイル
２０，２０’…ロータ部
２１…軸受
２２，２２’…ロータフレーム
２２ａ…平面部
２２ｂ…側面部
２２ｃ、３０ｃ…バーリング部
２３…ロータマグネット
２４，２４’…偏心錘
２５…軸受押え
２７，２７’…凹部
２７ｂ，２７ｂ’，３０ｂ…開口部
３０…カバーケース
３０ａ…筒状部
４０…ワッシャー
【図１】
2012005293.tif 000003
【図２】
2012005293.tif 000004
【図３】
2012005293.tif 000005